(57)【要約】【課題】消費電力の増加を抑制しつつ、呼損の発生を抑制することができ、利便性の高い携帯電話端末を提供すること。【解決手段】基地局から送信される呼出信号を受信して着信応答を行う機能を有する携帯電話端末であって、複数の基地局から各基地局固有のコードにてそれぞれ暗号化され同時にそれぞれ送信された呼出信号を、所定の間欠タイミングにて受信する呼出信号受信手段と、受信した呼出信号を予め端末内に保持している各基地局固有のコードにて復号化し、各基地局からの呼出信号を抽出する呼出信号復号化手段と、抽出された各基地局からの呼出信号に基づいて、着信処理を実行する着信実行手段と、を備えた。【選択図】図１
2008193445.tif 000002
【特許請求の範囲】
【請求項１】
基地局から送信される呼出信号を受信して着信応答を行う機能を有する携帯電話端末であって、
複数の基地局から同時に送信された複数の呼出信号を所定の間欠タイミングにて受信し、受信した信号から各呼出信号をそれぞれ抽出し、これら抽出された複数の呼出信号に基づいて着信処理を実行する機能、
を備えたことを特徴とする携帯電話端末。
【請求項２】
基地局から送信される呼出信号を受信して着信応答を行う機能を有する携帯電話端末であって、
複数の基地局から各基地局固有のコードにてそれぞれ暗号化され同時にそれぞれ送信された呼出信号を、所定の間欠タイミングにて受信する呼出信号受信手段と、
前記受信した呼出信号を予め端末内に保持している前記各基地局固有のコードにて復号化し、前記各基地局からの呼出信号を抽出する呼出信号復号化手段と、
前記抽出された各基地局からの呼出信号に基づいて、着信処理を実行する着信実行手段と、
を備えたことを特徴とする携帯電話端末。
【請求項３】
前記着信実行手段は、前記抽出された各基地局からの呼出信号の信号状態に基づいて着信処理を行う、
ことを特徴とする請求項２記載の携帯電話端末。
【請求項４】
前記着信実行手段は、前記抽出された各基地局からの呼出信号の品質をそれぞれ調べ、このうち最も品質のよい呼出信号に対して着信処理を行う、
ことを特徴とする請求項３記載の携帯電話端末。
【請求項５】
前記各基地局固有のコードは、携帯電話端末による位置登録動作時に各基地局から取得して端末内に保持されている情報である、
ことを特徴とする請求項２，３又は４記載の携帯電話端末。
【請求項６】
前記呼出信号受信手段は、携帯電話端末が位置登録をしている基地局及びその周辺に位置する１又は２以上の基地局から同時にそれぞれ送信された呼出信号を受信する、
ことを特徴とする請求項２，３，４又は５記載の携帯電話端末。
【請求項７】
携帯電話端末に対し複数の基地局を介して呼出信号を送信する端末呼出装置であって、
他の携帯電話端末から前記携帯電話端末に対する呼出要求を受け付けて、当該携帯電話端末を呼び出すために複数の基地局からそれぞれ同時に前記携帯電話端末に対して各呼出信号を送信するよう前記複数の基地局に対して指令を発する呼出信号発信指令手段を備えた、
ことを特徴とする端末呼出装置。
【請求項８】
携帯電話端末に対して呼出信号の送信を行う複数の基地局装置と、これら基地局装置に対して前記携帯電話端末の呼出指令を行う端末呼出装置と、基地局から送信される呼出信号を受信して着信応答を行う機能を有する携帯電話端末と、を備えた端末呼出応答システムであって、
前記端末呼出装置は、他の携帯電話端末から前記携帯電話端末に対する呼出要求を受け付けて、当該携帯電話端末を呼び出すよう前記複数の基地局装置に呼出指令を発する呼出信号発信指令手段を備え、
前記各基地局装置は、前記端末呼出装置からの呼出指令に応じて各基地局固有のコードにてそれぞれ暗号化された呼出信号を、同時にそれぞれ送信する呼出信号送信手段を備え、
前記携帯電話端末は、前記各基地局装置から同時にそれぞれ送信された呼出信号を所定の間欠タイミングにて受信する呼出信号受信手段と、前記受信した呼出信号を予め端末内に保持している前記各基地局固有のコードにて復号化し前記各基地局からの呼出信号を抽出する呼出信号復号化手段と、前記抽出された各基地局からの呼出信号に基づいて着信処理を実行する着信実行手段と、を備えた、
ことを特徴とする端末呼出応答システム。
【請求項９】
携帯電話端末が、
複数の基地局から各基地局固有のコードにてそれぞれ暗号化され同時にそれぞれ送信された呼出信号を、所定の間欠タイミングにて受信する呼出信号受信工程と、
前記受信した呼出信号を予め端末内に保持している前記各基地局固有のコードにて復号化し、前記各基地局からの呼出信号を抽出する呼出信号復号化工程と、
前記抽出された各基地局からの呼出信号に基づいて着信処理を実行する着信実行工程と、
を有することを特徴とする端末呼出応答方法。
【請求項１０】
携帯電話端末に対して呼出を行う複数の基地局装置と、これら基地局装置による前記携帯電話端末の呼出制御を行う端末呼出装置と、基地局装置から送信される呼出信号を受信して着信応答を行う機能を有する携帯電話端末と、による端末呼出応答方法であって、
前記端末呼出装置が、他の携帯電話端末から前記携帯電話端末に対する呼出要求を受け付けて、当該携帯電話端末を呼び出すよう前記複数の基地局装置に呼出指令を発し、
前記各基地局装置が、前記端末呼出装置からの呼出指令に応じて各基地局固有のコードにてそれぞれ暗号化された呼出信号を、同時にそれぞれ送信し、
携帯電話端末が、複数の基地局から各基地局固有のコードにてそれぞれ暗号化され同時にそれぞれ送信された呼出信号を、所定の間欠タイミングにて受信し、前記受信した呼出信号を予め端末内に保持している前記各基地局固有のコードにて復号化し、前記各基地局からの呼出信号を抽出し、これら抽出された各基地局からの呼出信号に基づいて着信処理を実行する、
ことを特徴とする端末呼出応答方法。
【請求項１１】
携帯電話端末に、
複数の基地局から各基地局固有のコードにてそれぞれ暗号化され同時にそれぞれ送信された呼出信号を、所定の間欠タイミングにて受信する呼出信号受信手段と、
前記受信した呼出信号を予め端末内に保持している前記各基地局固有のコードにて復号化し、前記各基地局からの呼出信号を抽出する呼出信号復号化手段と、
前記抽出された前記各基地局からの呼出信号に基づいて、着信処理を実行する着信実行手段と、
を実現させるためのプログラム。
【発明の詳細な説明】
【技術分野】
【０００１】
本発明は、携帯電話端末にかかり、特に、他の携帯電話端末からの発信に応じて基地局から送信される呼出信号を受信して着信応答を行う機能に特徴を有する携帯電話端末に関する。
【背景技術】
【０００２】
携帯電話等のバッテリーで操作する通信端末では、当該端末が在圏状態で他端末からの呼び出しが有るかを確認する際に、3GPP TS-25.211のＰＩＣＨ受信に記載されるように、端末は基地局からの端末呼出信号（ページング）を間欠的に受信し、自端末の呼び出しが有るかを判断する。ここで、ページングを間欠的に受信する理由としては、連続的に受信を行うと端末の受信回路を起動した状態のままとする必要が有り、通信端末自体のバッテリーで動作可能な時間が減少してしまう、という問題が生じるためである。従って、間欠的に受信部回路を起動、停止することで、消費電力の減少を図り、動作可能時間の延長を図っている。
【０００３】
【特許文献１】特開平１０−１０７７２２号公報
【特許文献２】特開平１０−１４５８６８号公報
【特許文献３】特開２００３−６１１５８号公報
【発明の開示】
【発明が解決しようとする課題】
【０００４】
しかし、上述したようなページングの間欠的な検出方法では、端末が在圏している基地局からの受信電力が減少したり、他キャリアからの干渉信号等が生じている場合には、自端末の呼び出しを認識することができず、呼出に適切に応答できないなど呼損が発生するという問題が生じる。
【０００５】
上記問題を解決するために、例えば、特許文献１，２に記載されているように、携帯電話端末の移動状態や受信品質に応じて間欠受信のタイミングを変更し、ページング受信の機会を増やすことで、呼損の削減を図る方法が有る。しかし、この方法では、端末が在圏している基地局からの受信信号の品質が干渉等により定常的に劣化している場合は、間欠受信のタイミングを変更してもページングが受信できず、呼損の発生を減少させることは困難である。また、特許文献３には、複数の基地局から発信されるページングを受信し、これを各基地局毎に異なる頻度で間欠受信する、という方法が開示されている。しかし、かかる方法であっても、各基地局からのページングを各受信タイミングでそれぞれその都度受信しなければならず、受信動作が増加することで消費電力が増加し、動作可能時間の延長を図ることができない、という問題が生じる。さらには、位置登録をしている基地局とは異なる周辺の基地局からのページングは長い間隔を空けて間欠受信しているため、迅速な切替動作を実行することが困難となり、呼損が発生するという問題が生じる。
【０００６】
このため、本発明では、上記従来例の有する不都合を改善し、特に、消費電力の増加を抑制しつつ、呼損の発生を抑制することができ、利便性の高い携帯電話端末を提供すること、をその目的とする。
【課題を解決するための手段】
【０００７】
そこで、本発明の一形態は、基地局から送信される呼出信号を受信して着信応答を行う機能を有する携帯電話端末であって、複数の基地局から同時に送信された複数の呼出信号を所定の間欠タイミングにて受信し、受信した信号から各呼出信号をそれぞれ抽出し、これら抽出された複数の呼出信号に基づいて着信処理を実行する機能、を備えたことを特徴としている。
【０００８】
具体的には、基地局から送信される呼出信号を受信して着信応答を行う機能を有する携帯電話端末であって、
複数の基地局から各基地局固有のコードにてそれぞれ暗号化され同時にそれぞれ送信された呼出信号を、所定の間欠タイミングにて受信する呼出信号受信手段と、
受信した呼出信号を予め端末内に保持している各基地局固有のコードにて復号化し、各基地局からの呼出信号を抽出する呼出信号復号化手段と、
抽出された各基地局からの呼出信号に基づいて、着信処理を実行する着信実行手段と、
を備えたことを特徴としている。
【０００９】
上記発明によると、まず、CDMA方式にて複数の基地局から所定の携帯電話端末に対して同時に呼出信号が発信されると、複数の呼出信号は合成され、この合成された呼出信号を携帯電話端末が間欠的な受信動作で受信する。そして、携帯電話端末は、受信した呼出信号を、各基地局固有のコードを用いて復号化することで、各基地局から発信された複数の呼出信号をそれぞれ抽出する。その後、抽出した呼出信号のいずれかに対して着信応答することで、呼出信号を発信したいずれかの基地局に対する着信及びその後の通話を実現できる。従って、本発明では、従来と同様に間欠的に呼出信号を受信することで、受信した呼出信号には複数の呼出信号が含まれているため、受信時間や受信回数を増加させることなく、複数の基地局からの呼出信号を受信することができ、このうちのいずれかの基地局に対して着信応答することができる。その結果、携帯電話端末の消費電力の増加を抑制しつつ、呼損の発生を抑制することができ、利便性の高い携帯電話端末を提供することができる。
【００１０】
そして、着信実行手段は、抽出された各基地局からの呼出信号の信号状態に基づいて着信処理を行う、ことを特徴としている。特に、着信実行手段は、抽出された各基地局からの呼出信号の品質をそれぞれ調べ、このうち最も品質のよい呼出信号に対して着信処理を行う、ことを特徴としている。
【００１１】
これにより、複数の呼出信号の品質等の信号状態に基づいて、特定の呼出信号に対してのみ着信応答を行う。従って、携帯電話端末と通信状態のよい基地局を選択することができ、より呼損の発生の削減を図ることができる。
【００１２】
また、各基地局固有のコードは、携帯電話端末による位置登録動作時に各基地局から取得して端末内に保持されている情報である、ことを特徴としている。
【００１３】
これにより、携帯電話端末は、呼出信号の復号化に必要な基地局固有のコードを、待ち受け時であって位置登録動作時に、各基地局から取得することができる。従って、通信可能な基地局からの呼出信号をより確実に抽出することができ、より呼損の削減を図ることができる。
【００１４】
なお、上記呼出信号受信手段は、携帯電話端末が位置登録をしている基地局及びその周辺に位置する１又は２以上の基地局から同時にそれぞれ送信された呼出信号を受信する、ことを特徴としている。
【００１５】
また、本発明の他の形態は、携帯電話端末に対し複数の基地局を介して呼出信号を送信する端末呼出装置であって、他の携帯電話端末から前記携帯電話端末に対する呼出要求を受け付けて、当該携帯電話端末を呼び出すために複数の基地局から同時にそれぞれ携帯電話端末に対して各呼出信号を送信するよう複数の基地局に対して指令を発する呼出信号発信指令手段を備えた、ことを特徴としている。
【００１６】
また、本発明の他の形態は、
携帯電話端末に対して呼出信号の送信を行う複数の基地局装置と、これら基地局装置に対して携帯電話端末の呼出指令を行う端末呼出装置と、基地局から送信される呼出信号を受信して着信応答を行う機能を有する携帯電話端末と、を備えた端末呼出応答システムであって、
端末呼出装置は、他の携帯電話端末から携帯電話端末に対する呼出要求を受け付けて、当該携帯電話端末を呼び出すよう複数の基地局装置に呼出指令を発する呼出信号発信指令手段を備え、
各基地局装置は、端末呼出装置からの呼出指令に応じて各基地局固有のコードにてそれぞれ暗号化された呼出信号を、同時にそれぞれ送信する呼出信号送信手段を備え、
携帯電話端末は、各基地局装置から同時にそれぞれ送信された呼出信号を所定の間欠タイミングにて受信する呼出信号受信手段と、受信した呼出信号を予め端末内に保持している各基地局固有のコードにて復号化し各基地局からの呼出信号を抽出する呼出信号復号化手段と、抽出された各基地局からの呼出信号に基づいて着信処理を実行する着信実行手段と、を備えた、
ことを特徴としている。
【００１７】
また、本発明の他の形態である端末呼出応答方法は、
携帯電話端末が、
複数の基地局から各基地局固有のコードにてそれぞれ暗号化され同時にそれぞれ送信された呼出信号を、所定の間欠タイミングにて受信する呼出信号受信工程と、
受信した呼出信号を予め端末内に保持している各基地局固有のコードにて復号化し、各基地局からの呼出信号を抽出する呼出信号復号化工程と、
抽出された各基地局からの呼出信号に基づいて着信処理を実行する着信実行工程と、
を有することを特徴としている。
【００１８】
さらに、端末呼出応答方法の他の形態は、
携帯電話端末に対して呼出を行う複数の基地局装置と、これら基地局装置による携帯電話端末の呼出制御を行う端末呼出装置と、基地局装置から送信される呼出信号を受信して着信応答を行う機能を有する携帯電話端末と、による端末呼出応答方法であって、
端末呼出装置が、他の携帯電話端末から携帯電話端末に対する呼出要求を受け付けて、当該携帯電話端末を呼び出すよう複数の基地局装置に呼出指令を発し、
各基地局装置が、端末呼出装置からの呼出指令に応じて各基地局固有のコードにて暗号化された呼出信号を、同時にそれぞれ送信し、
携帯電話端末が、複数の基地局から各基地局固有のコードにてそれぞれ暗号化され同時にそれぞれ送信された呼出信号を、所定の間欠タイミングにて受信し、受信した呼出信号を予め端末内に保持している各基地局固有のコードにて復号化し、各基地局からの呼出信号を抽出し、これら抽出された各基地局からの呼出信号に基づいて着信処理を実行する、
ことを特徴としている。
【００１９】
また、本発明の他の形態であるプログラムは、
携帯電話端末に、
複数の基地局から各基地局固有のコードにてそれぞれ暗号化され同時にそれぞれ送信された呼出信号を、所定の間欠タイミングにて受信する呼出信号受信手段と、
受信した呼出信号を予め端末内に保持している各基地局固有のコードにて復号化し、各基地局からの呼出信号を抽出する呼出信号復号化手段と、
抽出された各基地局からの呼出信号に基づいて、着信処理を実行する着信実行手段と、
を実現させる、ことを特徴としている。
【００２０】
上述した構成の端末呼出装置、端末呼出応答システム、方法、プログラムであっても、上記携帯電話端末について説明したものと同様の作用を有するため、上述した本発明の目的を達成することができる。
【発明の効果】
【００２１】
本発明は、以上のように構成され機能するので、これによると、従来と同様に間欠的に呼出信号を受信することで、受信した信号には複数の呼出信号が含まれているため、受信時間や受信回数を増加させることなく、複数の基地局からの呼出信号を受信することができ、このうちのいずれかの基地局に対して着信応答することができる。従って、携帯電話端末の消費電力の増加を抑制しつつ、呼損の発生を抑制することができ、利便性の高い携帯電話端末を提供することができる、という従来にない優れた効果を有する。
【発明を実施するための最良の形態】
【００２２】
本発明では、ＣＤＭＡ方式の携帯電話端末において、間欠受信時に、在圏基地局が送信する端末呼出信号のみならず、同一周波数帯内にある周辺基地局が送信する信号も復号可能であるという技術を利用している。具体的には、複数の基地局から端末呼出信号（ページング）を一斉に送信し、その呼び出し範囲内の在圏基地局及び周辺基地局のページングを携帯電話端末にて受信して復号し、当該端末への呼び出し有無を判断することを特徴としている。これにより、携帯電話端末が在圏する基地局からの信号が干渉等により品質劣化し、ページングが受信できないような場合であっても、受信回数を増やすことなく周辺基地局からのページングも受信しているため、着信処理を継続することが可能となる。以下、実施例にて、具体的なシステム構成及び動作を説明する。
【実施例１】
【００２３】
本発明の第１の実施例を、図１乃至図１０を参照して説明する。図１は、システム構成図であり、図２及び図３は、携帯電話端末の構成を示す図である。図４は、携帯電話端末による呼出信号の受信タイミングを説明する図である。図５乃至図７は、携帯電話端末の呼出時の様子を示す図であり、図８乃至図１０は、各装置の動作を示す図である。
【００２４】
［構成］
まず、図１を参照して、ＣＤＭＡ方式にて携帯電話端末による通信を実現する通信システムを説明する。図１において、符号１に示す携帯電話端末１は、着信側のユーザが操作する電話端末であり、符号４に示す携帯電話端末４は、発信側のユーザが操作する電話端末である。但し、いずれの携帯電話端末１，４も、もちろん発信及び着信が可能である。
【００２５】
また、基地局３１，３２，３５（基地局装置）は、上記携帯電話端末１，４と、通信ネットワーク（主に携帯電話網など）と、の間の中継を行い、携帯電話端末１，４と無線通信を行う装置である。これら各基地局３１，３２，３５は、ゾーン１、ゾーン２などの各自に設定された範囲で信号を送信することが可能である。
【００２６】
また、位置管理局２１，２２（端末呼出装置）は、上記基地局３１，３２，３５に接続されており、それぞれが管轄する基地局を有している。ここでは、符号３１，３２に示す基地局を符号２１に示す位置管理局が管轄しており、符号３５に示す基地局を符号２２に示す位置管理局が管轄している。以下、各装置について詳述する。
【００２７】
まず、位置管理局２１，２２について説明する。なお、位置管理局２１，２２は全てが同じ構成であるため、ここでは、主に、符号２１に示す位置管理局の構成について説明する。位置管理局２１は、一般的なサーバコンピュータにて構成されており、管轄する基地局３１に位置登録を行った携帯電話端末１の発信、着信などの管理を行う。具体的には、他の位置管理局２２から、管理している携帯電話端末１に対する発信要求があると、当該携帯電話端末１が位置登録されている基地局３１に対して呼出信号（ページング）を発信するよう指令を発する機能（呼出信号発信指令手段）を有する。そして、本実施例では、特に、位置管理局２１は、発信要求を受けた携帯電話端末１が位置登録されている基地局３１はもちろんのこと、その周辺に位置する他の基地局３２に対しても、呼出信号を発信するよう指示する。例えば、位置管理局２１が管轄する全ての基地局３１，３２が携帯電話端末１に対して呼出信号を発信するよう指示する。このとき、さらに、位置管理局２１は、各基地局３１，３２に対して、それぞれ同時に、かつ、同一タイミングにて、呼出信号を送信するよう指示する。
【００２８】
次に、基地局３１，３２，３５について説明する。なお、ここでは、符号３１，３２の基地局について説明するが、他の基地局も同様の構成を採っている。また、本実施例では、符号３１の基地局は、携帯電話端末１が位置登録した在圏基地局であり、符号３２の基地局は、その周辺に位置する周辺基地局であることとする。
【００２９】
基地局は、携帯電話端末と無線通信を行う電波塔を含む無線通信装置であり、それぞれが有する電波送信範囲で交信が可能である。また、基地局３１，３２には、後述するように、携帯電話端末１がどの基地局３１，３２から発信されたページング（呼出信号）であるかを判断するために用いられる基地局毎に固有のコードが割り当てられている。ここでは、基地局３１にコード１、基地局３２にコード２がそれぞれ割り当てられていることとする。
【００３０】
そして、各基地局３１，３２は、上述した位置管理局２１から呼出信号の同時送信指示を受けると、各基地局３１，３２は、自基地局にそれぞれ割り当てられたコードを用いて、携帯電話端末１を呼び出す呼出信号（ページング）を暗号化し、つまり、スクランブルをかけ、この暗号化されたページングを、同一のタイミングで各通信エリアに送出する機能（呼出信号送信手段）を有する。つまり、各基地局３１，３２から同時に送信された各ページングは、携帯電話端末１を呼び出す信号が符号化及び変調された状態のものである。なお、暗号化されたページングは、後に受信される携帯電話端末１にて、同一のコードを用いて復号化つまりデスクランブルすることが可能である。
【００３１】
ここで、上述したように、各基地局３１，３２から送信されるページングは、同一のタイミングで同時に送信されており、かつ、同一周波数で送信しているため、これらは合成された１つの合成呼出信号となる。従って、これを受信しても、そのままではいかなる信号が含まれているかを認識することは困難である。但し、後述するように、携帯電話端末１が各基地局３１，３２に対応した各コードで合成呼出信号をデスクランブルすることで、各基地局３１，３２から送信された各ページングをそれぞれ抽出することができ、いずれの基地局からのページングであるか、つまり、いずれの基地局から呼び出しがあったかを認識することができる。
【００３２】
なお、基地局３１，３２からのページングの送信タイミングを、図４を参照して説明する。この図の矢印Ｙ１１〜１３，Ｙ２１〜２３に示すように、各基地局３１，３２は、携帯電話端末宛のページングを、ページング用チャネルのフレームにて連続的に送信するが、後述するように携帯電話端末１が間欠受信を行っているため、当該端末１宛てのページングを含む送信波は、フレームの周期Ｔを区間Ｔ１からＴ３で分割した区間Ｔ３のみで送信している。そして、各基地局３１，３２は互いに同期をとっているため、ページング用チャネルのフレーム内区間Ｔ１からＴ３のタイミングは同一である。つまり、信号Ｙ１１とＹ２１、Ｙ１２とＹ２２、Ｙ１３とＹ２３、がそれぞれ同期して送信されている。
【００３３】
次に、携帯電話端末１，４の構成を説明する。なお、ここでは、符号１に示す携帯電話端末について説明するが、他の携帯電話端末４も同様の構成を採っている。
【００３４】
まず、図２に示すように、携帯電話端末１は、一般的な携帯電話端末と同様の構成を備えている。つまり、基地局間通信で信号の送受信に使用するアンテナ１１と、受信回路１２及び送信回路１３と、アンテナ１１にて送受信する信号の符号化及び復号化等を行う符号・復号回路１４と、送受信データを処理するＣＰＵ１５と、所定のデータを記憶するフラッシュメモリなどの記憶部１６と、時間を計測するタイマ１７と、電源供給を行うバッテリー１８と、を備えている。これらの構成について、図３を参照してさらに詳述する。
【００３５】
そして、携帯電話端末１の基本的な機能としては、データ送信時にＣＰＵ１５で生成された送信データを符号・復号回路１４（符号処理部１４ｂ）で符号化し、符号化した信号を送信回路１３で適切な周波数に変調し、アンテナ１１から送信波として基地局へ送信する。そして、信号受信時には、アンテナ１１で受信した受信波を受信回路１２で復調し、復調した受信信号を符号・復号回路１４（復号・デスクランブル処理部１４ａ）にて復号し、復号したデータをＣＰＵ１５が受信する。
【００３６】
具体的には、まず、ＣＰＵ１５の制御指令に応じて、待ち受け中にタイマ１７にて間欠受信タイミングを計測し、所定の間隔でページング受信動作を行う。このとき、ＣＰＵ１５は、図４に示すように、周期Ｔを区間Ｔ１からＴ３で分割した区間Ｔ３のみで受信するよう、アンテナ１１及び受信回路１２の動作を制御する。これにより、アンテナ１１及び受信回路１２（呼出信号受信手段）は、かかるタイミングにて間欠的に基地局３１，３２からの送信波である複数のページングが合成された合成呼出信号を、端末側の受信波として受信し、復調が行われる。なお、受信処理を行わないＴ１，Ｔ２の区間では休止状態になり、消費電力が削減されうる。
【００３７】
また、符号・復号回路１４には、復号・デスクランブル処理部１４ａ、符号処理部１４ｂが構成されている。そして、復号・デスクランブル処理部１４ａ（呼出信号復号化手段）は、上述したように受信した合成呼出信号の復号化処理を行う。具体的には、位置登録を行うための基地局サーチ時に受信して記憶部１６の基地局コード記憶部１６ａに記憶した各基地局３１，３２固有のコードを用いて、スクランブルされている合成呼出信号をデスクランブル（復号化）する。すると、基地局３１から送信されたページング１と、基地局３２から送信されたページング２と、を抽出することができ、これらを各々別のデータとして、記憶部１６内のページング記憶部１６ｂに記憶する。なお、記憶部１６は、受信データ・送信データの保管や、符号化・復号化処理でのワークエリアとして使用される。
【００３８】
また、ＣＰＵ１５には、着信処理部１５ａ（着信実行手段）が構築されており、上述したように受信した合成呼出信号をデスクランブルすることによって抽出され記憶された各ページングに、自己である携帯電話端末１の呼び出し情報が含まれているかを確認し、含まれている場合は着信動作に遷移する。このとき、抽出され記憶されている各基地局３１，３２からのページングの品質値をそれぞれ測定する。そして、呼出信号として認識できるものであり、最も品質がよいページングを特定し、かかるページングに対する着信処理を実行する。つまり、特定したページングを送信した基地局に対する着信応答を行う。
【００３９】
なお、上記では、ページングの受信処理やデスクランブル処理は、各回路１２，１４が実行するよう説明しているが、これらはＣＰＵ１５からの指令に応じて行われてもよい。つまり、ＣＰＵ１５に組み込まれるプログラムによって処理されているものと同義である。また、各回路による処理は、プログラムがＣＰＵに組み込まれることによって当該ＣＰＵ１５にて実現されてもよい。
【００４０】
［動作］
続いて、上記構成の携帯電話端末１による具体的な着信動作を、図５乃至図１０を参照して説明する。なお、この動作説明時におけるシステム構成を図５に示す。ここでは、位置管理局２１は基地局３１，３２，３３，３４を管轄しており、これらの基地局３１〜３４の通信領域である各ゾーンＡ，Ｂ，Ｃ，Ｄ内に携帯電話端末１が存在するため、当該携帯電話端末１は、これら基地局３１〜３４からの送信波が受信可能な状態にある。また、位置管理局３２は基地局３５を管轄しており、携帯電話端末４は基地局３５のゾーンＥ内に存在する。また、他の電波出力装置５から送信された干渉波ａ’が、基地局３１の付近に存在することとする。
【００４１】
まず、携帯電話端末１は、常時、基地局３１〜３４（図８では符号３１（基地局Ａとする）と符号３２（基地局Ｂとする）のみを示す）に対して間欠受信を実施している（ステップＳ１）。このとき、各基地局３１〜３４からページングのスクランブルに利用される固有のコードを取得する（ステップＳ２，Ｓ３，Ｓ４）。そして、携帯電話端末１は、間欠受信時に、各基地局３１〜３４との通信信号の品質を測定し、これに基づいて位置登録を行う（ステップＳ５）。なお、図６に、各基地局３１〜３４から受信した信号の品質を計測した値を示し、間欠受信回数を横軸に、各基地局から受信する信号の品質値を縦軸に示す。ここでは、携帯型電話端末１は、間欠受信１回目（図６の（１））において受信した受信波を元に各基地局の品質値を測定し、最も在圏に適した基地局３１に位置登録し、在圏している。そして、この位置登録は、位置管理局２１にて管理されている（ステップＳ６，Ｓ７）。
【００４２】
その後、携帯電話端末１は、引き続き間欠的に受信波を受信し、各基地局３１〜３４の品質を測定するが、ここでは、間欠受信６回目（図６の（２））のときに干渉波ａ’の影響で基地局３１の品質が劣化したものとする。この状態で、間欠受信１１回目（図６（３））に、携帯電話端末４からの発信（ステップＳ８）により携帯電話端末１へ呼び出しが発生した場合の動作を、以下説明する。
【００４３】
まず、携帯電話端末４（Ｂ）から発信されると、位置管理局２２から位置管理局２１を通じて、当該位置管理局２１の管轄する各基地局３１〜３４への携帯電話端末１への呼び出し要求が行われる（ステップＳ９）。ここで、位置管理局２１の具体的な動作を、図９を参照して説明する。
【００４４】
携帯電話端末４（Ｂ）からの発信を位置管理局２２を介して受け付けると（ステップＳ２１）、発信先となる携帯電話端末１（Ａ）の登録位置を確認し（ステップＳ２１）、在圏基地局３１及びその周辺基地局３２，３３，３４を特定する（ステップＳ２３）。そして、これらの基地局３１〜３４に対して、同一タイミングで呼び出し信号を送信するよう指示する（ステップＳ２４）。
【００４５】
続いて、位置管理局２１からページング指示を受けた各基地局３１〜３４は、携帯電話端末１を呼び出す情報を含めた各呼び出し情報であるページングａ〜ページングｄを生成し、各端末固有のコードでスクランブルをかけ、それぞれを通信領域（ゾーンＡ〜Ｄ）に送信する。図８では、符号３１と３２の基地局Ａ，Ｂが送信したもののみを図示する（ステップＳ１０，Ｓ１１）。このとき、各基地局３１〜３４は、位置管理局２１からの指示に応じて互いに同期を取って、同一タイミングでページングを送信している（図４参照）。すると、これらページングは合成されて送信される。
【００４６】
そして、携帯電話端末１は、間欠的に上記送信された合成呼出信号を受信する（ステップＳ１２、呼出信号受信手段）。つまり、各基地局３１〜３４から送信された呼出信号を、同時に、１つの信号として受信する。この後の携帯電話端末１の動作の詳細を、図１０に示す。
【００４７】
携帯電話端末１は、受信波を受信した後は（ステップＳ３１）、この受信波を復調し、記憶部１６に記憶されている各基地局固有のコードを読み出して（ステップＳ３２）、これら各コードを用いてデスクランブルする（ステップＳ３３、呼出信号復号化工程）。すると、各基地局３１〜３４からのページングａ〜ページングｄのデータを抽出することができ、記憶部１６に記憶する（ステップＳ３４）。ここで、図７に、抽出した各ページングの例を示す。ここでは、在圏している基地局３１（ゾーンＡ）のページングａは品質劣化により復号不可となる。すると、従来技術では、この時点で呼損となるが、本発明では更に周辺基地局のページングｂ，ページングｃも受信して復号されているため、これらに携帯電話端末１の呼び出し信号が含まれているか否かを調べることができる（ステップＳ３５）。そして、これらページングｂ、ｃの品質をチェックし（ステップＳ３６）、間欠受信１１回目で最も品質の良い基地局３２（Ｂ）からのページングｂに対する着信処理を行う（ステップＳ３７，Ｓ３８、着信実行工程）。
【００４８】
以上説明したことから、本発明においては、以下に記載するような効果を有する。まず、通常、携帯電話端末の移動によってフェージング、干渉波の発生等により、在圏開始時の在圏基地局と周辺基地局品質が変化するため、品質の変化に伴い、携帯電話端末はゾーン移行を行うが、当該端末は待ち受け時には間欠受信となるため、従来技術では、急激な品質変化には即座には追従出来ない。これに対し、本発明では、在圏基地局からの送信波が干渉等により品質劣化し、当該端末への呼び出しが発生したにも関わらず認識出来ない状態であっても、ページングを在圏基地局だけでなく周辺基地局からも受信し、呼び出しが有るかを確認しているため、周辺基地局からのページング呼び出しに対する着信への応答を実行することで、呼損の削減が可能となる。
【００４９】
また１回の間欠受信タイミングで在圏基地局のみでなく、複数の周辺基地局からのページングを受信し、受信成功率を上げることが出来るため、ページングの再送率が減少し、トラフィックの負荷軽減が可能となる。
【産業上の利用可能性】
【００５０】
本発明は、ＣＤＭＡ方式の携帯電話端末に利用することができ、産業上の利用可能性を有する。
【図面の簡単な説明】
【００５１】
【図１】携帯システム全体の構成を示す概略図である。
【図２】携帯電話端末の内部構成を示す簡略図である。
【図３】携帯電話端末の構成を示す機能ブロック図である。
【図４】携帯電話端末による呼出信号の受信タイミングを示す説明図である。
【図５】携帯電話端末の呼出信号の受信時の様子を示す図である。
【図６】各基地局からの呼出信号の品質の変化を示す図である。
【図７】携帯電話端末にて受信され記憶された呼出信号を示す図である。
【図８】携帯電話システム全体の動作を示すシーケンス図である。
【図９】位置管理局の動作を示すフローチャートである。
【図１０】携帯電話端末の動作を示すフローチャートである。
【符号の説明】
【００５２】
１，４  携帯電話端末
１１  アンテナ
１２  受信回路
１３  送信回路
１４  符号・復号回路
１５  ＣＰＵ
１６  記憶部
１７  タイマ
１８  バッテリー
２１，２２  位置管理局
３１，３２，３３，３４，３５  基地局
１４ａ  復号・デスクランブル処理部
１４ｂ  符号処理部
１５ａ  着信処理部
１６ａ  基地局コード記憶部
１６ｂ  ページング記憶部
【図１】
2008193445.tif 000003
【図２】
2008193445.tif 000004
【図３】
2008193445.tif 000005
【図４】
2008193445.tif 000006
【図５】
2008193445.tif 000007
【図６】
2008193445.tif 000008
【図７】
2008193445.tif 000009
【図８】
2008193445.tif 000010
【図９】
2008193445.tif 000011
【図１０】
2008193445.tif 000012